(57)【要約】【課題】  小型かつ高ズーム比で、温度変化に伴うピントズレや球面収差、像面湾曲等の収差の変動が低減された、高い光学性能を有するズームレンズを得ること。【解決手段】  物体側より像側へ順に、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化するズームレンズにおいて、第２レンズ群と第３レンズ群は樹脂レンズを含む。該ズームレンズにおいて、第２レンズ群の焦点距離ｆ２、第３レンズ群の焦点距離ｆ３、第２レンズ群に配置された樹脂レンズの焦点距離ｆ２ｐ、ｄ線に対する屈折率Ｎｄ２ｐ、アッベ数νｄ２ｐ、第３レンズ群に配置された樹脂レンズの焦点距離ｆ３ｎ、ｄ線に対する屈折率Ｎｄ３ｎ、アッベ数νｄ３ｎを各々適切に設定する。【選択図】  図１
2015087626.tif 000002
【特許請求の範囲】
【請求項１】
物体側より像側へ順に、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化するズームレンズにおいて、
前記第２レンズ群は、正の屈折力を有する樹脂レンズを含み、
前記第３レンズ群は、負の屈折力を有する樹脂レンズを含み、
前記第２レンズ群の焦点距離をｆ２、前記第３レンズ群の焦点距離をｆ３、前記第２レンズ群に配置された正の屈折力を有する樹脂レンズの焦点距離をｆ２ｐ、前記第３レンズ群に配置された負の屈折力を有する樹脂レンズの焦点距離をｆ３ｎ、前記第２レンズ群に配置された正の屈折力を有する樹脂レンズのｄ線に対する屈折率をＮｄ２ｐ、アッベ数をνｄ２ｐ、前記第３レンズ群に配置された負の屈折力を有する樹脂レンズのｄ線に対する屈折率をＮｄ３ｎ、アッベ数をνｄ３ｎとするとき、
１．５０＜｜ｆ２ｐ／ｆ２｜＜５．００
１．５８０＜Ｎｄ２ｐ＜１．７００
１５．０＜νｄ２ｐ＜３０．０
０．１０＜｜ｆ３ｎ／ｆ３｜＜２．００
１．５８０＜Ｎｄ３ｎ＜１．７００
１５．０＜νｄ３ｎ＜３０．０
なる条件式を満足することを特徴とするズームレンズ。
【請求項２】
請求項１に記載のズームレンズにおいて、
０．３０＜｜ｆ２ｐ／ｆ３ｎ｜＜３．１０
なる条件式を満足することを特徴とするズームレンズ。
【請求項３】
前記第３レンズ群に配置された負の屈折力を有する樹脂レンズの光軸上の厚さをＤ３ｎとするとき、
０．０２０＜Ｄ３ｎ／ｆ３＜０．１５０
なる条件式を満足することを特徴とする請求項１または２に記載のズームレンズ。
【請求項４】
前記第２レンズ群に配置された正の屈折力を有する樹脂レンズの光軸上の厚さをＤ２ｐとするとき、
０．１０＜｜Ｄ２ｐ／ｆ２｜＜０．８０
なる条件式を満足することを特徴とする請求項１乃至３のいずれか１項に記載のズームレンズ。
【請求項５】
前記第２レンズ群に配置された正の屈折力を有する樹脂レンズの光軸上の厚さをＤ２ｐ、前記第２レンズ群に配置された正の屈折力を有する樹脂レンズの物体側に隣接して配置されるレンズの像側のレンズ面と、前記第２レンズ群に配置された正の屈折力を有する樹脂レンズの物体側のレンズ面の光軸上の距離をＤ２ａとするとき、
０．００＜Ｄ２ａ／Ｄ２ｐ＜２．００
なる条件式を満足することを特徴とする請求項１乃至４のいずれか１項に記載のズームレンズ。
【請求項６】
前記第２レンズ群に配置された正の屈折力を有する樹脂レンズを構成する樹脂材料の線膨張係数をα２ｐとするとき、
１．０×１０−５／℃＜α２ｐ＜９．０×１０−５／℃
なる条件式を満足することを特徴とする請求項１乃至５のいずれか１項に記載のズームレンズ。
【請求項７】
前記第３レンズ群に配置された負の屈折力を有する樹脂レンズを構成する樹脂材料の線膨張係数をα３ｎとするとき、
１．０×１０−５／℃＜α３ｎ＜９．０×１０−５／℃
なる条件式を満足することを特徴とする請求項１乃至６のいずれか１項に記載のズームレンズ。
【請求項８】
前記後群は、正の屈折力の第４レンズ群から成ることを特徴とする請求項１乃至７のいずれか１項に記載のズームレンズ。
【請求項９】
前記後群は、負の屈折力の第４レンズ群と正の屈折力の第５レンズ群から成ることを特徴とする請求項１乃至７のいずれか１項に記載のズームレンズ。
【請求項１０】
固体撮像素子に像を形成することを特徴とする請求項１乃至９のいずれか１項に記載のズームレンズ。
【請求項１１】
請求項１乃至１０のいずれか１項に記載のズームレンズと、該ズームレンズによって形成される像を受光する固体撮像素子とを有していることを特徴とする撮像装置。
【発明の詳細な説明】
【技術分野】
【０００１】
本発明はズームレンズ及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
近年、固体撮像素子を用いたデジタルスチルカメラ、ビデオカメラ等の撮像装置は高機能化され、かつ装置全体が小型化されている。これらの装置に用いられるズームレンズは、レンズ全長が短く、高ズーム比であることが求められている。また、レンズの軽量化やコストの削減を図ることが要求されている。
【０００３】
レンズ全長が短く、高ズーム比のズームレンズとして、物体側から像側へ順に、正の屈折力の第１レンズ群、負の屈折力の第２レンズ群、正の屈折力の第３レンズ群、１以上のレンズ群を含む後群を有するポジティブリード型のズームレンズが知られている。また、レンズの軽量化やコストの削減を図るために、ガラス以外の物質、例えば樹脂材料を用いるズームレンズが知られている。
【０００４】
特許文献１に記載のズームレンズでは、第２レンズ群に正の屈折力を有する樹脂レンズを用いて、さらに第３レンズ群に負の屈折力を有する樹脂レンズを用いている。
【先行技術文献】
【特許文献】
【０００５】
【特許文献１】特開２００７−１０８７０３号公報
【発明の概要】
【発明が解決しようとする課題】
【０００６】
一般に、樹脂レンズはガラスレンズに比べて、温度変化による屈折率の変化が大きく、膨張や収縮による形状変化の影響も大きい。これにより、温度変化によるピントズレや球面収差のズレ等が大きくなり、光学性能の低下を招きやすい。比較的少ない枚数のレンズにより構成されたポジティブリード型のズームレンズでは、各レンズ面の屈折力が強いため、温度変化による光学性能の低下が目立ちやすい。
【０００７】
特許文献１は、第２レンズ群に正の屈折力を有する樹脂レンズを用い、さらに第３レンズ群に負の屈折力を有する樹脂レンズを用いたズームレンズを開示している。第２レンズ群に配置されたレンズと第３レンズ群に配置されたレンズ、それぞれの表面に樹脂を接合することにより、樹脂レンズを形成している。正の屈折力を有する樹脂レンズと負の屈折力を有する樹脂レンズを用いることで、色収差の補正を図り、さらに、樹脂レンズの空気に接するレンズ面を非球面形状とすることで、球面収差やコマ収差等の諸収差の補正を図っている。
【０００８】
しかし、特許文献１に記載のズームレンズでは、樹脂レンズの屈折力が適切に設定されているとは言えない。そのため、ペッツバール和が大きくなり、像面湾曲を十分に補正することが困難である。
【０００９】
本発明は、小型かつ高ズーム比で、温度変化に伴うピントズレや球面収差、像面湾曲等の収差の変動が低減された、高い光学性能を有するズームレンズ及びそれを有する撮像装置を提供することを目的とする。
【課題を解決するための手段】
【００１０】
本発明のズームレンズは、物体側より像側へ順に、正の屈折力の第１レンズ群、負の屈折力の第２レンズ群、正の屈折力の第３レンズ群、１以上のレンズ群を含む後群により構成され、ズーミングに際して隣り合うレンズ群の間隔が変化する。該ズームレンズにおいて、前記第２レンズ群は、正の屈折力を有する樹脂レンズを含み、前記第３レンズ群は、負の屈折力を有する樹脂レンズを含み、前記第２レンズ群の焦点距離をｆ２、前記第３レンズ群の焦点距離をｆ３、前記第２レンズ群に配置された正の屈折力を有する樹脂レンズの焦点距離をｆ２ｐ、前記第３レンズ群に配置された負の屈折力を有する樹脂レンズの焦点距離をｆ３ｎ、前記第２レンズ群に配置された正の屈折力を有する樹脂レンズのｄ線に対する屈折率をＮｄ２ｐ、アッベ数をνｄ２ｐ、前記第３レンズ群に配置された負の屈折力を有する樹脂レンズのｄ線に対する屈折率をＮｄ３ｎ、アッベ数をνｄ３ｎとするとき、
１．５０＜｜ｆ２ｐ／ｆ２｜＜５．００
１．５８０＜Ｎｄ２ｐ＜１．７００
１５．０＜νｄ２ｐ＜３０．０
０．１０＜｜ｆ３ｎ／ｆ３｜＜２．００
１．５８０＜Ｎｄ３ｎ＜１．７００
１５．０＜νｄ３ｎ＜３０．０
なる条件式を満足することを特徴としている。
【発明の効果】
【００１１】
本発明によれば、小型かつ高ズーム比で、温度変化に伴うピントズレや球面収差、像面湾曲等の収差の変動が低減された、高い光学性能を有するズームレンズが得られる。
【図面の簡単な説明】
【００１２】
【図１】本発明の実施例１のズームレンズの広角端におけるレンズ断面図
【図２】（Ａ）、（Ｂ）、（Ｃ）本発明の実施例１のズームレンズの広角端、中間のズーム位置、望遠端における収差図
【図３】本発明の実施例２のズームレンズの広角端におけるレンズ断面図
【図４】（Ａ）、（Ｂ）、（Ｃ）本発明の実施例２のズームレンズの広角端、中間のズーム位置、望遠端における収差図
【図５】本発明の実施例３のズームレンズの広角端におけるレンズ断面図
【図６】（Ａ）、（Ｂ）、（Ｃ）本発明の実施例３のズームレンズの広角端、中間のズーム位置、望遠端における収差図
【図７】本発明の実施例４のズームレンズの広角端におけるレンズ断面図
【図８】（Ａ）、（Ｂ）、（Ｃ）本発明の実施例４のズームレンズの広角端、中間のズーム位置、望遠端における収差図
【図９】本発明の実施例５のズームレンズの広角端におけるレンズ断面図
【図１０】（Ａ）、（Ｂ）、（Ｃ）本発明の実施例５のズームレンズの広角端、中間のズーム位置、望遠端における収差図
【図１１】本発明の撮像装置の要部概略図
【発明を実施するための形態】
【００１３】
以下、本発明のズームレンズ及びそれを有する撮像装置について、添付の図面に基づいて詳細に説明する。本発明のズームレンズは、物体側より像側へ順に、正の屈折力の第１レンズ群、負の屈折力の第２レンズ群、正の屈折力の第３レンズ群、１以上のレンズ群を含む後群から構成される。
【００１４】
図１は実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比７．５８、開口比３．１４〜７．０５程度のズームレンズである。図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比１５．２４、開口比３．３６〜６．０８程度のズームレンズである。
【００１５】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比９．４８、開口比３．１０〜７．１０程度のズームレンズである。図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比７．５８、開口比３．２５〜７．０５程度のズームレンズである。
【００１６】
図９は実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比２３．８５、開口比２．８７〜６．００程度のズームレンズである。
【００１７】
図１１は本発明のズームレンズを備えるデジタルスチルカメラ（撮像装置）の要部概略図である。各実施例のズームレンズはビデオカメラやデジタルスチルカメラ、銀塩フィルムカメラ、テレビカメラ等の撮像装置に用いられる撮像レンズ系である。レンズ断面図において左方が物体側（前方）で、右方が像側（後方）である。またレンズ断面図において、ｉを物体側から像側へのレンズ群の順番とするとＬｉは第ｉレンズ群を示す。
【００１８】
実施例１から３のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４から成る。実施例１乃至３は４つのレンズ群から成るポジティブリード型の４群ズームレンズであり、後群は、正の屈折力の第４レンズ群Ｌ４から成る。
【００１９】
実施例４及び５のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成される。実施例４及び５は５つのレンズ群から成るポジティブリード型の５群ズームレンズであり、後群は、負の屈折力の第４レンズ群Ｌ４と正の屈折力の第５レンズ群Ｌ５から成る。
【００２０】
各実施例において、ＳＰは開口絞りであり、実施例１、３、４のズームレンズでは、第３レンズ群Ｌ３に配置されたレンズの間に位置している。実施例２及び５のズームレンズでは、第３レンズ群Ｌ３の中で最も物体側に位置している。
【００２１】
ＦＰはフレアカット絞りであり、各実施例において第３レンズ群Ｌ３の中で最も像側に配置され、不要光を遮光している。また、実施例１、３、４では、第３レンズ群Ｌ３の中で最も物体側にも配置されている。
【００２２】
また、各実施例において、第３レンズ群Ｌ３の全体または一部を、光軸と垂直方向の成分を持つように移動させることで、像ぶれの補正を行っている。
【００２３】
Ｇは光学フィルター、フェースプレート、ローパスフィルター、赤外カットフィルター等に相当する光学ブロックである。ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。
【００２４】
球面収差図においてＦｎｏはＦナンバーであり、ｄ線（波長５８７．６ｎｍ）、ｇ線（波長４３５．８ｎｍ）に対する球面収差を示している。非点収差図においてΔＳはサジタル像面、ΔＭはメリディオナル像面である。歪曲収差はｄ線について示している。倍率色収差図ではｇ線における倍率色収差を示している。ωは撮像半画角である。なお以下の各実施例において広角端と望遠端はそれぞれ、機構上の制約の下、変倍用のレンズ群が光軸上を移動可能な範囲の両端に位置したときの各ズーム位置をいう。
【００２５】
各実施例において、第２レンズ群Ｌ２中に正の屈折力を有する樹脂レンズＬ２ｐを用い、第３レンズ群Ｌ３中に負の屈折力を有する樹脂レンズＬ３ｎを用いている。ここで、樹脂レンズは、樹脂材料のみから成るレンズであってもよいし、ＩＴＯやＴｉＯ２のようなナノ微粒子を樹脂材料中に分散させたものでもよい。樹脂レンズＬ２ｐと樹脂レンズＬ３ｎの屈折力の符号を異ならせ、屈折力を適切に設定することにより、温度変化に伴って生じるピントズレや球面収差、像面湾曲等を良好に補正している。
【００２６】
次に、レンズ群の内部において像面湾曲と色収差の低減を両立させるための条件について説明する。像面湾曲と色収差の発生を抑制するためには、ペッツバール和を小さくし、色収差の発生をキャンセルさせるように正レンズと負レンズの材料を選択すればよい。
【００２７】
レンズ群全体の屈折力が正の場合、像面湾曲の発生を抑制しつつ、色収差を良好に補正するためには、負レンズの屈折率は正レンズの屈折率より小さく、負レンズのアッベ数νｎは正レンズのアッベ数νｐより小さいことが好ましい。
【００２８】
しかし、実際に存在する材料の範囲では、アッベ数が小さくなると屈折率は大きくなる傾向があるため、１つのレンズ群の中で像面湾曲の発生を抑制しつつ、色収差を良好に補正することは困難である。
【００２９】
よって、レンズ群の内部では色収差の補正を重視し、像面湾曲の補正に関しては、レンズ群の中でペッツバール和をできるだけ小さくしつつ、複数のレンズ群を含むズームレンズ全体として、像面湾曲の発生を抑制する。
【００３０】
また、各実施例では、広角端から望遠端へのズーミングに際して各レンズ群が移動する。レンズ断面図中の矢印は、広角端から望遠端へのズーミングに際しての各レンズ群の移動軌跡を示している。
【００３１】
具体的には、実施例１乃至３のズームレンズでは、広角端から望遠端へのズーミングに際して、第１レンズ群Ｌ１及び第２レンズ群Ｌ２は、像側へ凸状の軌跡を描くように移動する。第３レンズ群Ｌ３は物体側へ単調に移動し、第４レンズ群Ｌ４は物体側へ凸状の軌跡を描くように移動する。
【００３２】
実施例４及び５のズームレンズでは、広角端から望遠端へのズーミングに際して、第１レンズ群Ｌ１及び第２レンズ群Ｌ２は、像側へ凸状の軌跡を描くように移動する。第３レンズ群Ｌ３及び第４レンズ群Ｌ４は、物体側へ単調に移動し、第５レンズ群Ｌ５は物体側へ凸状の軌跡を描くように移動する。
【００３３】
各実施例のズームレンズにおいて、第１レンズ群Ｌ１及び第３レンズ群Ｌ３は、広角端に比べて望遠端でより物体側に位置している。これにより、広角端におけるレンズ全長を短くし、前玉（第１レンズ群Ｌ１）の小型化を図りつつ、高ズーム比なズームレンズが得られる。特に、第３レンズ群Ｌ３を、広角端に比べて望遠端でより物体側に位置するように移動させることで、第３レンズ群Ｌ３に変倍負担を持たせている。これにより、第１レンズ群Ｌ１及び第２レンズ群Ｌ２の屈折力を強めることなく、高ズーム比のズームレンズを得ることができる。
【００３４】
また、各実施例において、最も像側に位置するレンズ群をフォーカスレンズ群としている。実施例１乃至３のズームレンズにおいては第４レンズ群Ｌ４をフォーカスレンズ群としており、実施例４及び５のズームレンズにおいては第５レンズ群Ｌ５をフォーカスレンズ群としている。
【００３５】
実施例１乃至３のズームレンズでは、望遠端において無限遠物体から近距離物体へフォーカスを行う場合には、レンズ断面図の矢印４ｃに示すように、第４レンズ群Ｌ４を物体側に繰り出している。レンズ断面図中の実線４ａと点線４ｂは各々、無限遠物体と近距離物体にフォーカスしているときの、広角端から望遠端へのズーミングに伴う像面変動を補正するための移動軌跡を示している。
【００３６】
実施例４及び５のズームレンズでは、望遠端において無限遠物体から近距離物体へフォーカスを行う場合には、レンズ断面の矢印５ｃに示すように、第５レンズ群Ｌ５を物体側に繰り出している。レンズ断面図中の実線５ａと点線５ｂは各々、無限遠物体と近距離物体にフォーカスしているときの、広角端から望遠端へのズーミングに伴う像面変動を補正するための移動軌跡を示している。
【００３７】
ここで、実施例４及び５のズームレンズにおいては、負の屈折力の第４レンズ群Ｌ４でフォーカシングを行っても良い。このとき、望遠端において無限遠物体から近距離物体へのフォーカシングを行う場合、第４レンズ群Ｌ４は像側へ移動する。
【００３８】
各実施例では、第２レンズ群Ｌ２の焦点距離をｆ２、第３レンズ群Ｌ３の焦点距離をｆ３、第２レンズ群Ｌ２に配置された正の屈折力を有する樹脂レンズＬ２ｐの焦点距離をｆ２ｐとする。また、第３レンズ群Ｌ３に配置された負の屈折力を有する樹脂レンズＬ３ｎの焦点距離をｆ３ｎ、第２レンズ群Ｌ２に配置された正の屈折力を有する樹脂レンズＬ２ｐのｄ線に対する屈折率をＮｄ２ｐ、アッベ数をνｄ２ｐとする。さらに、第３レンズ群Ｌ３に配置された負の屈折力を有する樹脂レンズＬ３ｎのｄ線に対する屈折率をＮｄ３ｎ、アッベ数をνｄ３ｎとするとき、
１．５０＜｜ｆ２ｐ／ｆ２｜＜５．００…（１）
１．５８０＜Ｎｄ２ｐ＜１．７００…（２）
１５．０＜νｄ２ｐ＜３０．０…（３）
０．１０＜｜ｆ３ｎ／ｆ３｜＜２．００…（４）
１．５８０＜Ｎｄ３ｎ＜１．７００…（５）
１５．０＜νｄ３ｎ＜３０．０…（６）
なる条件式を満足している。
【００３９】
条件式（１）の下限を超えて、第２レンズ群Ｌ２に配置された樹脂レンズＬ２ｐの焦点距離ｆ２ｐが短くなると、樹脂レンズＬ２ｐの屈折力が強くなり、レンズ面の曲率が強くなる。その結果、球面収差を十分に補正することが困難になるため、好ましくない。
【００４０】
条件式（１）の上限を超えて、第２レンズ群Ｌ２に配置された樹脂レンズＬ２ｐの焦点距離ｆ２ｐが長くなると、樹脂レンズＬ２ｐの屈折力が弱くなり、ペッツバール和がマイナス側に大きくなってしまう。結果として、全ズーム領域において像面湾曲を補正することが困難になるため好ましくない。
【００４１】
条件式（２）の下限を超えて、第２レンズ群Ｌ２に配置された樹脂レンズＬ２ｐの屈折率Ｎ２ｐが小さくなると、レンズのコバ厚を確保するために、樹脂レンズＬ２ｐの光軸上の厚さが増大する。結果として、レンズ全長が増大するため好ましくない。
【００４２】
条件式（２）の上限を超えて、第２レンズ群Ｌ２に配置された樹脂レンズＬ２ｐの屈折率Ｎ２ｐが大きくなると、条件式（３）を満足するアッベ数νｄ２ｐを有する樹脂材料が存在しないため、好ましくない。
【００４３】
条件式（３）の下限を超えて、第２レンズ群Ｌ２に配置された樹脂レンズＬ２ｐのアッベ数ν２ｐが小さくなると、条件式（２）を満足する屈折率Ｎｄ２ｐを有する樹脂材料が存在しないため、好ましくない。
【００４４】
条件式（３）の上限を超えて、第２レンズ群Ｌ２に配置された樹脂レンズＬ２ｐのアッベ数ν２ｐが大きくなると、広角端付近における倍率色収差を十分に補正することが困難になるため、好ましくない。
【００４５】
条件式（４）の下限を超えて、第３レンズ群Ｌ３に配置された樹脂レンズＬ３ｎの焦点距離ｆ３ｎが短くなると、樹脂レンズＬ３ｎの屈折力が強くなる。これにより、ペッツバール和がマイナス側に大きくなり、全ズーム領域において像面湾曲を補正することが困難になるため好ましくない。
【００４６】
条件式（４）の上限を超えて、第３レンズ群Ｌ３に配置された樹脂レンズＬ３ｎの焦点距離ｆ３ｎが長くなると、樹脂レンズＬ３ｎの屈折力が弱くなる。この結果、主点位置が像側に移動し、レンズ全長が増大するため、好ましくない。
【００４７】
条件式（５）の下限を超えて、第３レンズ群Ｌ３に配置された樹脂レンズＬ３ｎの屈折率Ｎ３ｎが小さくなると、負の屈折力を有する樹脂レンズＬ３ｎにおける屈折力を保つために、樹脂レンズＬ３ｎのレンズ面の曲率半径を小さくする必要が生じる。その結果、温度変化に伴い、焦点ズレや球面収差、コマ収差が発生しやすくなるため好ましくない。
【００４８】
条件式（５）の上限を超えて、第３レンズ群Ｌ３に配置された樹脂レンズＬ３ｎの屈折率Ｎ３ｎが大きくなると、条件式（６）を満足するアッベ数νｄ３ｎを有する樹脂材料が存在しないため、好ましくない。
【００４９】
条件式（６）の下限を超えて、第３レンズ群Ｌ３に配置された樹脂レンズＬ３ｎのアッベ数ν３ｎが小さくなると、条件式（５）を満足する屈折率Ｎｄ３ｎを有する樹脂材料が存在しないため、好ましくない。
【００５０】
条件式（６）の上限を超えて、第３レンズ群Ｌ３中に配置された樹脂レンズＬ３ｎのアッベ数ν３ｎが大きくなると、望遠端付近における軸上色収差や倍率色収差を十分に補正することが困難になるため、好ましくない。
【００５１】
各実施例では上記の如く、条件式（１）乃至（６）を満足するように各要素を適切に設定している。これにより小型かつ高ズーム比で、温度変化に伴うピントズレや球面収差、像面湾曲等の収差の変動が低減された、高い光学性能を有するズームレンズを得ることができる。
【００５２】
なお、各実施例において、好ましくは条件式（１）乃至（６）の数値範囲を次のようにするのがよい。
１．７０＜｜ｆ２ｐ／ｆ２｜＜４．５０…（１ａ）
１．５９０＜Ｎｄ２ｐ＜１．７００…（２ａ）
１６．０＜νｄ２ｐ＜３０．０…（３ａ）
０．３０＜｜ｆ３ｎ／ｆ３｜＜１．８０…（４ａ）
１．５９０＜Ｎｄ３ｎ＜１．６９０…（５ａ）
２０．０＜νｄ３ｎ＜２９．０…（６ａ）
【００５３】
また、更に好ましくは条件式（１）乃至（６）の数値範囲を次の如く設定するのが良い。
１．８０＜｜ｆ２ｐ／ｆ２｜＜４．００…（１ｂ）
１．６００＜Ｎｄ２ｐ＜１．７００…（２ｂ）
１７．０＜νｄ２ｐ＜２８．５…（３ｂ）
０．６０＜｜ｆ３ｎ／ｆ３｜＜１．６０…（４ｂ）
１．６００＜Ｎｄ３ｎ＜１．６８０…（５ｂ）
２１．０＜νｄ３ｎ＜２８．５…（６ｂ）
【００５４】
さらに、各実施例において、次の条件式のうち１つ以上を満足することがより好ましい。ここで、第２レンズ群Ｌ２に配置された正の屈折力を有する樹脂レンズＬ２ｐの厚さをＤ２ｐ、第３レンズ群Ｌ３に配置された負の屈折力を有する樹脂レンズＬ３ｎの厚さをＤ３ｎとする。また、第２レンズ群Ｌ２に配置された正の屈折力を有する樹脂レンズＬ２ｐの物体側に隣接して配置されるレンズの像側のレンズ面と、樹脂レンズＬ２ｐの物体側のレンズ面の光軸上の距離をＤ２ａとする。さらに、第２レンズ群Ｌ２に配置された正の屈折力を有する樹脂レンズＬ２ｐを構成する樹脂材料の線膨張係数をα２ｐ、第３レンズ群Ｌ３に配置された負の屈折力を有する樹脂レンズＬ３ｎを構成する樹脂材料の線膨張係数をα３ｎとする。
【００５５】
このとき、
０．３０＜｜ｆ２ｐ／ｆ３ｎ｜＜３．１０…（７）
０．０２０＜Ｄ３ｎ／ｆ３＜０．１５０…（８）
０．１０＜｜Ｄ２ｐ／ｆ２｜＜０．８０…（９）
０．００＜Ｄ２ａ／Ｄ２ｐ＜２．００…（１０）
１．０×１０−５／℃＜α２ｐ＜９．０×１０−５／℃・・・（１１）
１．０×１０−５／℃＜α３ｎ＜９．０×１０−５／℃・・・（１２）
なる条件式のうち１つ以上を満足するのがよい。
【００５６】
条件式（７）の下限を超えて、第２レンズ群Ｌ２に配置された樹脂レンズＬ２ｐの焦点距離ｆ２ｐが短くなると、樹脂レンズＬ２ｐの屈折力が強くなる。これにより、温度変化に伴う光学性能の変動が大きくなり、特に広角側において、像面湾曲が多く発生するため、好ましくない。
【００５７】
条件式（７）の上限を超えて、第２レンズ群Ｌ２に配置された樹脂レンズＬ２ｐの焦点距離ｆ２ｐが長くなると、樹脂レンズＬ２ｐの屈折力が弱くなり、第２レンズ群Ｌ２の有効径が増大するため好ましくない。
【００５８】
条件式（８）の下限を超えて、第３レンズ群Ｌ３に配置された樹脂レンズＬ３ｎの光軸上の厚さＤ３ｎが小さくなると、温度変化に伴う光学性能の変動が大きくなり、球面収差や像面湾曲が多く発生するため、好ましくない。
【００５９】
条件式（８）の上限を超えて、第３レンズ群Ｌ３に配置された樹脂レンズＬ３ｎの光軸上の厚さＤ３ｎが大きくなると、レンズ全長の増大を招くため好ましくない。
【００６０】
条件式（９）の下限を超えて、第２レンズ群Ｌ２中に配置された樹脂レンズＬ２ｐの光軸上の厚さＤ２ｐが小さくなると、樹脂レンズＬ２ｐの製造誤差が大きくなる。その結果、温度変化に伴う光学性能の変動が大きくなり、球面収差や像面湾曲が多く発生するため、好ましくない。
【００６１】
条件式（９）の上限を超えて、第２レンズ群Ｌ２中に配置された樹脂レンズＬ２ｐの光軸上の厚さＤ２ｐが大きくなると、レンズ全長の増大を招くため好ましくない。
【００６２】
条件式（１０）の下限を超えて、樹脂レンズＬ２ｐの物体側に隣接して配置されるレンズの像側のレンズ面と、樹脂レンズＬ２ｐの物体側のレンズ面の光軸上の距離Ｄ２ａが小さくなると、第２レンズ群Ｌ２において収差を補正する効果が小さくなる。結果として、像面湾曲やコマ収差を十分に補正することが困難になるため、好ましくない。
【００６３】
条件式（１０）の上限を超えて、樹脂レンズＬ２ｐの物体側に隣接して配置されるレンズの像側のレンズ面と、樹脂レンズＬ２ｐの物体側のレンズ面の光軸上の距離Ｄ２ａが大きくなると、レンズ全長の増大を招くため好ましくない。
【００６４】
また、樹脂レンズＬ２ｐと樹脂レンズＬ３ｎを構成する樹脂材料の線膨張係数が、条件式（１１）、（１２）の範囲内に存在することにより、温度変化に伴う樹脂レンズの膨張や収縮に伴うピントズレや像面湾曲、球面収差を良好に補正することができる。
【００６５】
また、好ましくは条件式（７）〜（１２）の数値範囲を次の如く設定すると、各条件式がもたらす効果を最大限に得ることができる。
０．５０＜｜ｆ２ｐ／ｆ３ｎ｜＜２．８０・・・（７ａ）
０．０２５＜Ｄ３ｎ／ｆ３＜０．１２０・・・（８ａ）
０．１５＜｜Ｄ２ｐ／ｆ２｜＜０．６０・・・（９ａ）
０．０１＜Ｄ２ａ／Ｄ２ｐ＜１．５０・・・（１０ａ）
３．０×１０−５／℃＜α２ｐ＜８．０×１０−５／℃・・・（１１ａ）
３．０×１０−５／℃＜α３ｎ＜８．０×１０−５／℃・・・（１２ａ）
【００６６】
また、更に好ましくは条件式（７）乃至（１２）の数値範囲を次の如く設定するのが良い。
０．６０＜｜ｆ２ｐ／ｆ３ｎ｜＜２．６０・・・（７ｂ）
０．０３０＜Ｄ３ｎ／ｆ３＜０．０８０・・・（８ｂ）
０．２０＜｜Ｄ２ｐ／ｆ２｜＜０．４５０・・・（９ｂ）
０．０２＜Ｄ２ａ／Ｄ２ｐ＜０．５０・・・（１０ｂ）
６．０×１０−５／℃＜α２ｐ＜７．５×１０−５／℃・・・（１１ｂ）
６．０×１０−５／℃＜α３ｎ＜７．５×１０−５／℃・・・（１２ｂ）
【００６７】
次に各レンズ群の構成について説明する。第１レンズ群Ｌ１に関しては、実施例１、３、４では、物体側から像側へ順に負レンズと正レンズが接合された接合レンズから成る。実施例２及び５では、物体側から像側へ順に、負レンズと正レンズの接合レンズ、正レンズから構成される。第１レンズ群Ｌ１をこのように構成することにより、望遠側における色収差や球面収差を良好に補正しつつ、レンズ全長の短縮を図ることができる。
【００６８】
第２レンズ群Ｌ２に関しては、実施例１乃至４では、物体側から像側へ順に、負レンズ、負レンズ、正レンズから構成される。実施例５では、物体側から像側へ順に、負レンズ、負レンズ、負レンズ、正レンズから構成される。
【００６９】
第３レンズ群Ｌ３に関しては、実施例１及び４では、物体側から像側へ順に、正レンズ、負レンズから構成される。実施例２及び５では、物体側から像側へ順に、正レンズ、負レンズ、正レンズから構成される。実施例３では、物体側から像側へ順に、正レンズ、正レンズ、負レンズから構成される。
【００７０】
第４レンズ群Ｌ４及び第５レンズ群Ｌ５に関しては、実施例１及び３では、第４レンズ群Ｌ４を１枚の正レンズにより構成している。また、実施例２では、第４レンズ群Ｌ４を正レンズと負レンズの接合レンズから構成している。実施例４及び５では、第４レンズ群Ｌ４を１枚の負レンズで構成し、第５レンズ群Ｌ５を１枚の正レンズで構成している。以上のように、後群を構成するレンズの枚数を少なくすることにより、レンズ全長の短縮を図っている。
【００７１】
次に、本発明の実施例１〜５にそれぞれ対応する数値実施例１〜５を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００７２】
またｋを離心率、Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０
で表示される。但しＲは近軸曲率半径である。また「ｅ−Ｚ」の表示は「１０−Ｚ」を意味する。数値実施例において最も像側の２つの面は、フィルター、フェースプレート等の光学ブロックの面である。
【００７３】
各実施例において、バックフォーカス（ＢＦ）は、レンズ系の最も像側の面から近軸像面までの距離を、空気換算長により表したものである。また、各数値実施例における上述した条件式との対応を表１に示す。
【００７４】
なお、広角端における有効像円径（イメージサークルの直径）を、望遠端における有効像円径に比べて小さくすることができる。これは、画像処理によって画像を引き伸ばすことで、広角側において発生しやすい樽型の歪曲収差を補正することができるためである。
【００７５】
［数値実施例１］
単位 mm
面データ
面番号       r        d      nd         νd
1         13.700    0.50   1.92286    18.9
2         10.722    2.68   1.77250    49.6
3         74.495  (可変)
4        132.962    0.30   1.77250    49.6
5          4.850    2.42
6        -12.117    0.30   1.77250    49.6
7         21.789    0.05
8*         9.956    1.26   1.63550    23.9
9        -33.700  (可変)
10          ∞      -0.40
11*         4.045    1.36   1.69350    53.2
12*       -20.887    0.18
13(絞り)    ∞       0.13
14         11.731    0.31   1.63550    23.9
15*         3.444    1.20
16          ∞     (可変)
17         12.888    1.58   1.60311    60.6
18      -2000.000  (可変)
19          ∞       1.00   1.51633    64.1
20          ∞       1.00
像面        ∞
非球面データ
第8面
K = 3.35102e-001  A 4=-8.58286e-005  A 6=-3.31026e-006  A 8=-1.49471e-008
第11面
K =-1.20355e+000  A 4= 1.55775e-003  A 6= 7.96571e-005  A 8=-1.42265e-005
第12面
K = 1.38359e+001  A 4= 1.74366e-003  A 6=-1.45568e-004
第15面
K = 1.00393e-001  A 4= 1.53126e-004  A 6= 4.06135e-004  A 8=-6.84396e-006
各種データ
ズーム比      7.5
焦点距離       5.15    12.74    39.00
Fナンバー      3.14     3.90     7.05
半画角         32.46    16.76     5.67
像高           3.27     3.84     3.88
レンズ全長    35.16    35.66    49.07
BF             4.54     7.30     4.87
d 3            0.35     4.62     7.47
d 9           12.85     4.89     0.53
d16            5.55     6.98    24.33
d18            2.88     5.64     3.21
ズームレンズ群データ
群  始面    焦点距離
1    1      22.61
2    4      -5.88
3   10       9.60
4   17      21.24
【００７６】
［数値実施例２］
単位 mm
面データ
面番号       r        d      nd         νd
1         62.391    1.00   1.85478    24.8
2         34.427    2.90   1.49700    81.5
3       -475.725    0.20
4         29.911    2.20   1.69680    55.5
5        114.219  (可変)
6       -199.622    0.65   1.77250    49.6
7          6.722    3.30
8        -23.045    0.40   1.69680    55.5
9         14.991    0.20
10         11.293    2.40   1.69000    26.0
11       -123.344  (可変)
12(絞り)    ∞       0.51
13*         6.046    2.20   1.55332    71.7
14*        96.848    0.62
15          7.520    0.70   1.64000    24.0
16          4.677    0.80
17         36.273    1.20   1.48749    70.2
18        -50.145    0.90
19          ∞     (可変)
20         16.441    1.65   1.48749    70.2
21        -40.301    0.40   1.84666    23.9
22       -318.773  (可変)
23          ∞       1.00   1.51633    64.1
24          ∞       1.00
像面        ∞
非球面データ
第13面
K = 2.49473e-001  A 4=-4.30545e-004  A 6=-1.24513e-005  A 8= 2.47707e-007  A10=-3.61188e-008
第14面
K =-4.30655e+002  A 4= 1.44738e-004  A 6=-1.78156e-006
各種データ
ズーム比     15.24
焦点距離       5.12    26.34    78.00
Fナンバー      3.36     4.83     6.08
半画角        33.68     8.37     2.84
像高           3.41     3.88     3.88
レンズ全長    59.24    67.94    83.04
BF             8.12    18.88     4.80
d 5            0.70    19.06    29.26
d11           22.63     4.44     1.34
d19            5.55     3.33    25.42
d22            6.46    17.22     3.14
ズームレンズ群データ
群  始面    焦点距離
1    1      46.36
2    6      -7.81
3   12      14.43
4   20      42.39
【００７７】
［数値実施例３］
単位 mm
面データ
面番号       r        d      nd         νd
1         20.134    0.65   1.92286    18.9
2         15.045    3.30   1.77250    49.6
3        109.216  (可変)
4         66.861    0.30   1.77250    49.6
5          5.206    3.30
6        -12.187    0.30   1.63854    55.4
7         38.266    0.05
8         12.408    1.50   1.65000    18.0
9       -676.286  (可変)
10          ∞      -0.40
11*         4.466    1.45   1.55332    71.7
12*       -21.287    0.05
13(絞り)    ∞       0.00
14          4.857    0.95   1.48749    70.2
15          8.457    0.20
16         12.694    0.30   1.60700    27.0
17*         3.353    1.00
18          ∞     (可変)
19         11.275    2.00   1.60311    60.6
20      -1000.000  (可変)
21          ∞       1.00   1.51633    64.1
22          ∞       1.00
像面        ∞
非球面データ
第11面
K = 2.54448e-001  A 4=-9.17211e-004  A 6=-4.48380e-005  A 8=-4.49045e-006
第12面
K = 6.75834e-002  A 4= 3.16593e-004
第17面
K = 1.35835e-001  A 4= 1.43372e-003  A 6= 1.18409e-004
各種データ
ズーム比      9.48
焦点距離       4.43    17.15    41.99
Fナンバー      3.10     4.16     7.10
半画角        36.63    12.73     5.27
像高           3.29     3.88     3.88
レンズ全長    37.32    42.07    55.76
BF             3.08     8.26     3.49
d 3            0.30    10.67    14.43
d 9           13.80     2.36     0.66
d18            5.19     5.83    22.23
d20            1.42     6.60     1.83
ズームレンズ群データ
群  始面    焦点距離
1    1      33.89
2    4      -6.36
3   10       9.18
4   19      18.50
【００７８】
［数値実施例４］
単位 mm
面データ
面番号       r        d      nd         νd
1         16.217    0.50   1.92286    18.9
2         12.401    2.60   1.77250    49.6
3         93.841  (可変)
4        211.797    0.30   1.77250    49.6
5          4.988    2.42
6        -15.702    0.40   1.48749    70.2
7         10.934    0.12
8*         7.445    1.40   1.63550    23.9
9*        31.506  (可変)
10          ∞      -0.40
11*         3.975    1.36   1.69350    53.2
12*       -18.621    0.18
13(絞り)    ∞       0.10
14          9.744    0.30   1.63550    23.9
15*         3.551    0.50
16          ∞     (可変)
17         26.891    0.40   1.76182    26.5
18         12.419  (可変)
19         10.523    2.40   1.60311    60.6
20      -2000.000  (可変)
21          ∞       1.00   1.51633    64.1
22          ∞       1.00
像面        ∞
非球面データ
第8面
K = 1.50128e-001  A 4= 6.18581e-005  A 6=-1.36861e-005  A 8= 5.87047e-007
第9面
K = 3.01259e+001  A 4= 1.99028e-005
第11面
K =-9.79187e-001  A 4= 1.30937e-003  A 6= 8.56117e-005  A 8=-1.47150e-005
第12面
K = 1.57482e+001  A 4= 1.55186e-003  A 6=-1.06934e-004
第15面
K = 3.09091e-001  A 4= 9.97043e-004  A 6= 4.81324e-004  A 8=-4.17898e-006
各種データ
ズーム比      7.58
焦点距離       5.14    11.97    39.00
Fナンバー      3.25     4.05     7.05
半画角        32.46    17.77     5.67
像高           3.27     3.84     3.88
レンズ全長    34.92    37.09    51.96
BF             3.54     5.71     4.99
d 3            0.35     5.29     9.99
d 9           12.11     5.16     0.73
d16            1.05     1.61     1.97
d18            5.28     6.74    21.70
d20            1.88     4.05     3.33
ズームレンズ群データ
群  始面    焦点距離
1    1      26.74
2    4      -6.08
3   10       8.08
4   17     -30.66
5   19      17.36
【００７９】
［数値実施例５］
単位 mm
面データ
面番号       r        d      nd         νd
1         91.669    1.60   1.80610    33.3
2         47.083    4.80   1.49700    81.5
3        679.482    0.20
4         55.037    3.60   1.60311    60.6
5        535.237  (可変)
6         51.445    1.00   1.88300    40.8
7          7.841    2.60
8         19.052    0.80   1.83481    42.7
9         14.120    2.70
10        -19.192    0.70   1.83481    42.7
11        168.834    0.20
12         20.450    2.60   1.69000    18.0
13        -55.629  (可変)
14(絞り)    ∞       1.49
15*         9.950    3.00   1.58313    59.4
16*       -50.613    2.87
17         41.228    0.70   1.65000    24.0
18          8.393    0.50
19         13.802    2.00   1.48749    70.2
20        -21.577    0.30
21          ∞     (可変)
22        196.078    1.00   1.48749    70.2
23         21.803  (可変)
24         15.858    2.00   1.48749    70.2
25        159.555  (可変)
26          ∞       1.00   1.51633    64.1
27          ∞       1.00
像面        ∞
非球面データ
第15面
K =-1.30468e+000  A 4= 7.61236e-005  A 6= 2.30183e-007  A 8= 1.67413e-009
第16面
K =-2.73779e+001  A 4= 4.77346e-005
各種データ
ズーム比     23.85
焦点距離       4.40    12.54   104.99
Fナンバー      2.87     3.74     6.00
半画角        38.39    17.17     2.11
像高           3.49     3.88     3.88
レンズ全長    83.06    84.93   139.54
BF             5.92    11.47     9.24
d 5            0.70    17.27    62.26
d13           33.64    10.92     1.49
d21            2.87     6.06     5.38
d23            5.27     4.55    26.51
d25            4.26     9.81     7.58
ズームレンズ群データ
群  始面    焦点距離
1    1      88.73
2    6      -9.03
3   14      15.50
4   22     -50.42
5   24      35.95
【００８０】
【表１】
2015087626.tif 000003
【００８１】
次に各実施例に示したようなズームレンズを撮影光学系として用いたデジタルスチルカメラの実施形態を図１１を用いて説明する。
【００８２】
図１１において、２０はカメラ本体、２１は実施例１〜５で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００８３】
本発明のズームレンズをデジタルカメラ等の撮像装置に適用するで、小型かつ高ズーム比で、温度変化に伴うピントズレや球面収差、像面湾曲等の収差の変動が低減された、高い光学性能を有する撮像装置を得ることができる。
【符号の説明】
【００８４】
Ｌ１  第１レンズ群
Ｌ２  第２レンズ群
Ｌ３  第３レンズ群
Ｌ４  第４レンズ群
Ｌ５  第５レンズ群
ＳＰ  開口絞り
ＦＰ  フレアカット絞り
Ｇ  光学フィルター
ＩＰ  像面
ｄ  ｄ線
ｇ  ｇ線
ΔＳ  サジタル像面
ΔＭ  メリディオナル像面
ω  撮像半画角
Ｆｎｏ  Ｆナンバー
【図１】
2015087626.tif 000004
【図２】
2015087626.tif 000005
【図３】
2015087626.tif 000006
【図４】
2015087626.tif 000007
【図５】
2015087626.tif 000008
【図６】
2015087626.tif 000009
【図７】
2015087626.tif 000010
【図８】
2015087626.tif 000011
【図９】
2015087626.tif 000012
【図１０】
2015087626.tif 000013
【図１１】
2015087626.tif 000014